(57)【要約】【課題】  無線通信に低電力モードを組み込むためのシステム及び方法を提供する。【解決手段】  無線通信方法は、基地局が複数のエンドポイントに無線ネットワークへのアクセスを提供する段階、及び基地局が低電力モードに入る段階を有する。基地局は低電力モードにある間、無線ネットワークアクセスをエンドポイントに提供しない。当該方法はまた、基地局が第１の所定期間、低電力モードからアクティブモードに移行する段階を有し、基地局は、第１の所定期間が基地局及び１以上のエンドポイントによって特定された後にアクティブモードに移行する。当該方法は更に、基地局が、アクティブモードに移行した後、第２の所定期間中に１以上のエンドポイントから無線ネットワークへのアクセス要求を受信した場合、基地局がアクティブモードに留まり、基地局が第２の所定期間中に何れのエンドポイントからもアクセス要求を受信しない場合、基地局が低電力モードに移行する段階を有する。【選択図】  図３
2010109985.tif 000002
【特許請求の範囲】
【請求項１】
基地局にて、複数のエンドポイントに無線ネットワークへのアクセスを提供する段階と、
前記基地局にて、低電力モードに入る段階であり、該低電力モードにある間、前記基地局は前記複数のエンドポイントに前記無線ネットワークへのアクセスを提供することを中止する、段階と、
前記基地局にて、第１の所定期間の間、前記低電力モードからアクティブモードに移行する段階であり、前記第１の所定期間が前記基地局及び少なくとも１つのエンドポイントによって特定された後に、前記基地局が前記アクティブモードに移行する段階と、
前記基地局が、前記アクティブモードに移行した後、第２の所定期間中に、少なくとも１つのエンドポイントから前記無線ネットワークへのアクセス要求を受信した場合に、前記アクティブモードに留まる段階と、
前記基地局が、前記アクティブモードに移行した後、前記第２の所定期間中に、何れのエンドポイントからも前記無線ネットワークへのアクセス要求を受信しない場合に、前記低電力モードに移行する段階と、
を有する無線通信方法。
【請求項２】
前記基地局にて、前記無線ネットワークからメッセージを受信したことに応答して、前記低電力モードから前記アクティブモードに移行する段階、を更に有する請求項１に記載の方法。
【請求項３】
前記基地局によって、前記アクティブモードから前記低電力モードへの移行を少なくとも１つのエンドポイントに通知する段階であり、該エンドポイントが該通知に応答して前記第１の所定期間を決定し得るようにする段階、を更に有する請求項１に記載の方法。
【請求項４】
基地局にて、複数のエンドポイントに無線ネットワークへのアクセスを提供する段階と、
前記基地局にて、低電力モードに入る段階であり、該低電力モードにある間、前記基地局は前記複数のエンドポイントに前記無線ネットワークへのアクセスを提供することを中止する、段階と、
前記基地局にて、少なくとも１つのエンドポイントから少なくとも１つのレンジングコードを受信する段階と、
前記基地局にて、受信レンジングコードのうちの少なくとも１つが、一組の所定のレンジングコードのうちの少なくとも１つのレンジングコードに一致することを決定する段階と、
前記基地局にて、少なくとも１つの受信レンジングコードが少なくとも１つの所定のレンジングコードと一致すると決定したことに応答して、前記低電力モードを抜け出る段階と、
を有する無線通信方法。
【請求項５】
少なくとも１つの受信レンジングコードが少なくとも１つの所定のレンジングコードと一致することを決定する段階は更に、
（ａ）第１の受信レンジングコードが第１の所定のレンジングコードと一致することを決定する段階と、
（ｂ）前記（ａ）の段階における決定に応答して、前記低電力モードを抜け出る段階に先立って、前記基地局における受信信号の増幅率を増大させる段階と、
（ｃ）第２の受信レンジングコードが第２の所定のレンジングコードと一致することを決定する段階であり、前記第２の受信レンジングコードは、前記基地局における受信信号の増幅率を増大させた後に前記基地局にて受信される、段階と、
を有し、且つ
前記低電力モードを抜け出る段階は更に、前記（ｃ）の段階における決定に応答して前記低電力モードを抜け出ることを有する、
請求項４に記載の方法。
【請求項６】
少なくとも１つの受信レンジングコードが少なくとも１つの所定のレンジングコードと一致することを決定する段階は更に、（ｄ）前記第１の受信レンジングコードに関する時間遅延が前記第２の受信レンジングコードに関する時間遅延と略等しいことを決定する段階を有し、且つ
前記低電力モードを抜け出る段階は更に、前記（ｃ）及び（ｄ）の段階における決定に応答して前記低電力モードを抜け出ることを有する、
請求項５に記載の方法。
【請求項７】
前記基地局から少なくとも１つのエンドポイントに、前記アクティブモードから前記低電力モードへの移行を指し示す通知を送信する段階を更に有し、該通知は少なくとも１つの所定のレンジングコードを決定するために使用される暗号パラメータを含む、請求項４に記載の方法。
【請求項８】
少なくとも１つの受信レンジングコードが少なくとも１つの所定のレンジングコードと一致することを決定する段階は更に、前記少なくとも１つの受信レンジングコードのレンジングスロットが、前記少なくとも１つの所定のレンジングコードのレンジングスロットと一致することを決定する段階を有する、請求項４に記載の方法。
【請求項９】
無線機と少なくとも１つのプロセッサとを有し、
前記無線機は、
複数のエンドポイントに無線ネットワークへのアクセスを提供し、
基地局が低電力モードにある間、前記複数のエンドポイントに前記無線ネットワークへのアクセスを提供することを中止し、且つ
少なくとも１つのエンドポイントから前記無線ネットワークへのアクセス要求を受信する
よう動作し、且つ
前記少なくとも１つのプロセッサは、
前記基地局に前記低電力モードに入らせ、
第１の所定期間を特定し、
前記第１の所定期間の間、前記基地局に前記低電力モードからアクティブモードに移行させ、
前記低電力モードから前記アクティブモードへの移行後、第２の所定期間中に前記要求が受信された場合に、前記基地局に前記アクティブモードに留まらせ、且つ
前記低電力モードから前記アクティブモードへの移行後、前記第２の所定期間中に前記要求が受信されない場合に、前記基地局に前記アクティブモードから前記低電力モードに移行させる
よう動作する、
無線通信システム。
【請求項１０】
無線機と少なくとも１つのプロセッサとを有し、
前記無線機は、
複数のエンドポイントに無線ネットワークへのアクセスを提供し、
基地局が低電力モードにある間、前記複数のエンドポイントに前記無線ネットワークへのアクセスを提供することを中止し、且つ
少なくとも１つのエンドポイントから少なくとも１つのレンジングコードを受信する
よう動作し、且つ
前記少なくとも１つのプロセッサは、
少なくとも、受信レンジングコードのうちの少なくとも１つが、一組の所定のレンジングコードのうちの少なくとも１つのレンジングコードに一致することを決定し、
少なくとも１つの受信レンジングコードが少なくとも１つの所定のレンジングコードと一致すると決定したことに応答して、前記基地局に前記低電力モードから抜け出させる
よう動作する、
無線通信システム。
【発明の詳細な説明】
【技術分野】
【０００１】
本発明は、概して無線通信に関し、より具体的には無線通信に低電力モードを組み込むためのシステム及び方法に関する。
【背景技術】
【０００２】
無線通信システムは干渉及び電力消費の問題を抱えている。一貫したサービスの提供は、通信の利用可能性を通知する信号を装置に絶えず送出させることによって達成されてきた。これは、特定の状況において、リソースの無駄遣いとなり得る。この種の動作はまた、サービス提供者の数が増加して衝突が生じるとき、提供されるサービスの質を低下させ得るものである。
【発明の概要】
【発明が解決しようとする課題】
【０００３】
本発明は、無線通信に低電力モードを組み込むためのシステム及び方法を提供することを目的とする。
【課題を解決するための手段】
【０００４】
一実施形態によれば、無線通信方法は、基地局にて、複数のエンドポイントに無線ネットワークへのアクセスを提供する段階を有する。当該方法はまた、基地局が低電力モードに入る段階を有し、基地局は、低電力モードにある間、複数のエンドポイントに無線ネットワークへのアクセスを提供することを中止する。また、当該方法は、基地局が第１の所定期間の間、低電力モードからアクティブモードに移行する段階を有し、基地局は、第１の所定期間が基地局及び少なくとも１つのエンドポイントによって特定された後に、アクティブモードに移行する。さらに、基地局が、アクティブモードに移行した後、第２の所定期間中に、少なくとも１つのエンドポイントから無線ネットワークへのアクセス要求を受信した場合、当該方法は、基地局がアクティブモードに留まる段階を有する。基地局が、アクティブモードに移行した後、第２の所定期間中に、何れのエンドポイントからも無線ネットワークへのアクセス要求を受信しない場合には、当該方法は、基地局が低電力モードに移行する段階を有する。
【０００５】
一部の実施形態において、当該方法は更に、基地局を、インターネットサービスプロバイダのネットワークを介して基地局に無線ネットワークへのアクセスを提供するネットワークアクセス装置に結合する段階を含んでもよい。さらに、複数のエンドポイントに無線ネットワークへのアクセスを提供する段階は、インターネットサービスプロバイダのネットワークを使用してもよく、無線ネットワークは無線サービスプロバイダのネットワークを有してもよい。当該方法はまた、基地局が少なくとも１つのエンドポイントと通信する必要があることを指し示すメッセージを無線ネットワークから受信したことに応答して、基地局が低電力モードからアクティブモードに移行する段階を含んでもよい。さらに、当該方法は、無線ネットワークがネットワーク負荷情報を更新し得るように、基地局が無線ネットワークにアクティブモードから低電力モードへの移行を通知する段階を含んでもよい。
【０００６】
一実施形態によれば、無線通信システムは、複数のエンドポイントに無線ネットワークへのアクセスを提供するよう動作する無線機を有する。無線機はまた、基地局が低電力モードにある間、複数のエンドポイントに無線ネットワークへのアクセスを提供することを中止するよう動作する。さらに、無線機は、少なくとも１つのエンドポイントから少なくとも１つのレンジング（ranging）コードを受信するよう動作する。当該システムはまた、少なくとも１つのプロセッサを有し、該少なくとも１つのプロセッサは、受信レンジングコードのうちの少なくとも１つが、一組の所定のレンジングコードのうちの少なくとも１つのレンジングコードに一致することを決定するよう動作する。該少なくとも１つのプロセッサはまた、少なくとも１つの受信レンジングコードが少なくとも１つの所定のレンジングコードと一致すると決定したことに応答して、基地局に低電力モードから抜け出させるよう動作する。
【発明の効果】
【０００７】
特定の実施形態は、実装される具体的な機能に応じて、以下のような技術的利点のうちの一部又は全てを示すこともあるし、それらの何れをも示さないこともある。低電力モードに入ることは、無線ネットワーク上の干渉を抑制し得る。サービスの必要性があるときに低電力モードからアクティブモードへの移行を行い得るようにレンジングコードを監視することにより、低電力モードに入ることによるサービス途絶の影響が抑制され得る。その他の技術的利点が、以下の説明、図面及び特許請求の範囲から当業者に容易に明らかになる。
【図面の簡単な説明】
【０００８】
添付の図面とともに以下の詳細な説明を参照する。図面において、同様の参照符号は同様の部分を表す。
【図１】特定の一実施形態に従った、様々な通信ネットワークを有する通信システムを例示する図である。
【図２】エンドポイントと、フェムト基地局と、ネットワークアクセス装置とを有する無線ネットワークの一実施形態を例示する図である。
【図２Ａ】図２のフェムト基地局の特定の構成要素の一実施形態を例示する図である。
【図３】フェムト基地局が時間インターバルを用いて低電力モードに出入りする一実施形態を例示するフローチャートである。
【図４】フェムト基地局がレンジングモードを用いて低電力モードに出入りする一実施形態を例示するフローチャートである。
【発明を実施するための形態】
【０００９】
図１は、特定の一実施形態に従った、様々な通信ネットワークを有する通信システムを示している。通信システム１００は複数のネットワーク１１０を有し得る。各ネットワーク１１０は、その他のネットワーク及び／又は通信プロトコルから独立して、あるいはそれらと協働して、の何れかで様々なサービスのうちの１つ以上をサポートするように設計された多様な通信プロトコルのうちの何れかを有する多様な通信ネットワークのうちの何れかとし得る。例えば、ネットワーク１１０は、有線接続又は無線接続（例えば、ＷｉＭＡＸサービス）を介してネットワーク及び／又はインターネットへのアクセスを容易にし得る。ネットワークアクセスは、オンラインゲーム、ファイル共有、ピアツーピア・ファイル共有（Ｐ２Ｐ）、インターネット回線を利用した音声通信（Voice  over  Internet  protocol；ＶｏＩＰ）電話、インターネット回線を利用した映像通信（video  over  IP）電話、又はネットワークにより一般的に提供されるその他の種類の機能を可能にし得る。特定の実施形態において、ネットワーク１１０のうちの１つ以上は、ＷｉＭＡＸとして広く知られた、ｍＢＳ１２０等のマクロ基地局（ｍＢＳ）とｆＢＳ１９０等のフェムト基地局（ｆＢＳ）とを含み得るＩＥＥＥ８０２．１６に基づく無線ネットワークを有していてもよい。これらの構成要素の各々は、エンドポイント１４０に、ネットワーク１１０の１つ以上への無線接続１５０を用いたアクセスを提供する。
【００１０】
説明の便宜上、以下の説明では、関与する様々なエンティティに対して、簡略化した用語を用いることがある。‘オーナー’は、ｆＢＳを購入したエンティティ、又はそれに対してｆＢＳが登録されたエンティティを意味し得る。‘ユーザ’は、それに対して無線サービスが提供されるエンティティを意味し得る。‘インターネットサービス’は、オーナーが例えばインターネット等の外部ネットワークにアクセスするために使用するサービスを意味し得る。単純化のために用語‘インターネット’が使用されるが、この用語は、インターネットに限定されるものではなく、公衆ネットワーク及び私的ネットワークを含め、ｆＢＳが自身のバックホール接続を構築する（更に後述する）ために使用し得るその他の種類のネットワークをも含む。‘インターネットサービスプロバイダ（ＩＳＰ）’は、インターネットサービスをオーナーに提供するエンティティを意味し得る。‘無線サービス’又は‘キャリアサービス’は、例えばＷｉＭＡＸ等、ユーザが無線アクセスのために使用するサービスを意味し得る。‘無線サービスプロバイダ（ＷＳＰ）’は、ユーザ又はオーナーに無線サービスを提供するエンティティを意味し得る。これらの用語は単純化のために使用されており、取り得る全ての実施形態の全範囲を表すものではない。例えば、オーナーは同時にユーザであってもよく、ＩＳＰは同時にＷＳＰであってもよい。他の一例として、ＩＳＰはオーナーにインターネットアクセスを直接的に提供しなくてもよい（例えば、ＩＳＰは建物にインターネットアクセスを提供し、建物所有者がｆＢＳオーナーにインターネットアクセスを提供してもよい）。
【００１１】
図１に示した実施形態において、ネットワーク１１０ａは複数のｆＢＳ１９０を含んでいる。ｆＢＳ１９０は、本質的に、オーナーがＷＳＰから購入した（あるいは借りた）小型基地局であり得る。オーナーは例えば自身の建物などにｆＢＳを設置することを担う。ｆＢＳは、設置されると、オーナーの建物内の信号カバレッジを高めるために使用され得る地理的に小さい受信可能領域を提供する。状況に応じて、オーナーは、（例えば、ｆＢＳが公衆ｆＢＳである場合など）この受信可能領域をその他の未知のユーザと共有してもよいし、（例えば、ｆＢＳが私的なｆＢＳである場合など）それを既知の／権限を有するユーザに限定してもよい。図１に示した状況において、ｆＢＳ１９０はネットワークアクセス装置１８０に接続されている。この接続は、ｆＢＳ１９０に、ＷＳＰのネットワークであるＷＳＮネットワーク１１０ｄへのバックホール接続を提供してもよい。ネットワークアクセス装置１８０はオーナーに全般的なインターネットアクセスを提供してもよい。ｆＢＳ１９０は、ＷＳＰに結合された専用のバックホール通信回線を用いるのではなく、オーナーの既存のインターネットアクセスを使用する。実施形態及び状況に応じて、ＩＳＰ及びＷＳＰは同一のエンティティであってもよい。
【００１２】
一部の実施形態において、エンドポイント１４０は、レンジングコード及びレンジングスロットを用いることにより、ｆＢＳ１９０との通信セッションを開始するように構成され得る。エンドポイントからｆＢＳへ、１つ以上のレンジングコードが１つ以上のレンジングスロットにて送信され得る。ｆＢＳは該１つ以上のレンジングコードを受信し、該レンジングコードを送信したエンドポイントとの通信セッションに入るかを決定し得る。様々な実施形態において、レンジングコードは多様な異なる種類の符号化方式を有し得る。例えば、レンジングコードは、一連の２進数を含んでいてもよいし、例えばＱＡＭ（直交振幅変調）シンボル又はＱＰＳＫ（四相位相変調）シンボル等のシンボルであってもよい。レンジングスロットは、レンジングコードに関するタイミングパラメータ又は周波数パラメータを表し得る。例えば、レンジングコードは、ｆＢＳと交信するときに特定のタイムスロットにて送信され得る。他の一例として、レンジングコードは特定の１つの周波数又は一組の副周波数上で伝達されてもよい。ＷｉＭＡＸプロトコルにおいては、エンドポイントはｆＢＳに、その目的に専用のアップリンクフレーム上でＣＤＭＡ（符号分割多重アクセス）コードを送信し得る。
【００１３】
固定と移動の融合（fixed-mobile  convergence；ＦＭＣ）は、ユーザが、屋外環境と屋内環境との間で歩き回るときにサービスの連続性及びサービスの統合を享受することが可能な状況である。ｆＢＳ１９０は、エンドポイント１４０が単一の無線インタフェースを使用し得るようにすることにより、ＦＭＣを容易にし得る。より具体的には、例えば、ｆＢＳ１９０ｂがオーナーの家に設置されると、オーナーは、屋外のｍＢＳ１２０又は屋内のｆＢＳ１９０ｂの何れかに接続する同一の無線インタフェースを用いて、同一の移動式機器を使用することができる。何れの装置に接続するかの選択は、ユーザによって手動で為される、あるいは、エンドポイント１４０ｋ、ＢＳ１２０、又はＷＳＮネットワーク１１０ｄに結合されるかそれによって制御されるかの何らかの構成要素によって自立的に為されることができる。一部の実施形態において、特定のエンドポイント１４０は、エンドポイント１４０で行われているアクティブな通信セッションを中断しないように、ｍＢＳ１２０とｆＢＳ１９０との間で移行（“ハンドオーバ”）することが可能である。ハンドオーバは、ネットワーク１１０ｄ内のノードからの支援を受けて行われてもよい。例えば、ノードは、エンドポイント１４０をハンドオーバすることにｆＢＳ１９０が使用すべきｍＢＳ１２０の識別子を送信してもよい。
【００１４】
所与の領域内の無線接続１５０の数の増加は、無線接続１５０間の干渉の影響及び深刻度を増大させ得る。これは、サービス品質（ＱｏＳ）の低下、及び管理コストの増加を生じさせ得る。これは、ｆＢＳ１９０を広く普及させることに関する特別な関心事である。より具体的には、オーナーがｆＢＳを設置するため、ＷＳＰが何らかの事前の周波数計画及び／又は現場調査を行う術はない。配置されたｆＢＳの数が増加すると、干渉の問題が発生し得る。例えば、各ｆＢＳは、エンドポイントが無線ネットワーク内で通信する機会を周期的にブロードキャストし得る。このようなブロードキャストは、様々なｆＢＳ及びＢＳにわたって多重化されると、ネットワーク内の様々な基地局（例えば、ｆＢＳ又はＢＳ）と干渉し得る。この状況を緩和するため、一部の実施形態において、ｆＢＳは低電力モードに入るように構成されてもよい。低電力モードにおいて、ｆＢＳは、エンドポイントが無線ネットワークと通信する機会を周期的にブロードキャストすることを中止するように構成され得る。これは、例えば、ｆＢＳが、そのサービスエリアからエンドポイントが立ち去り、その結果、そのサービスエリア内にエンドポイントが存在しない、ことを検出した状況において行われ得る。様々な実施形態において、ｆＢＳはまた、そのサービスエリア内のエンドポイントが低電力モードに入り、もはや無線ネットワークと通信しようとしていないことを検出したときに、低電力モードに入ってもよい。更に後述するように、ｆＢＳは、そのサービスエリア内の何れかのエンドポイントが無線ネットワークと通信することが望まれるとき、低電力モードから抜け出てアクティブモードに入り得る。低電力モードの様々な実施形態においてに関する動作及び利点の更なる詳細は、図２−４に関連して後述する。
【００１５】
図１の通信システム１００の例は、ネットワーク１１０ａ−１１０ｄという４つの異なるネットワークを含んでいるが、用語“ネットワーク”は、ウェブページ、電子メール、文字チャット、ＶｏＩＰ及びインスタントメッセージによって伝送される信号、データ又はメッセージを含めて、信号、データ及び／又はメッセージを伝送可能な何らかのネットワーク又は複数のネットワークの組み合わせを全般的に規定するものと解釈されるべきである。ネットワークの範囲、サイズ及び／又は構成に応じて、ネットワーク１１０ａ−１１０ｄの各々は、ＬＡＮ、ＷＡＮ、ＭＡＮ、ＰＳＴＮ、ＷｉＭＡＸネットワーク、例えばインターネット等の地球規模で分布されたネットワーク、イントラネット、エクストラネット、又はその他の形態の無線若しくは有線のネットワークとして実現され得る。
【００１６】
ネットワーク１１０は、如何なる数の、また、如何なる組み合わせの、有線リンク１６０、無線接続１５０、ノード１７０及び／又はエンドポイント１４０を含んでいてもよい。説明のため、そして単なる例として、ネットワーク１１０ａは、少なくとも部分的にＷｉＭＡＸによって実現され得るＭＡＮであり、ネットワーク１１０ｂはＷＡＮ（例えば、長距離光ネットワーク又はインターネット）であり、ネットワーク１１０ｄは、ネットワーク１１０ａに無線サービス（例えば、ＷｉＭＡＸ）を提供することを担うＷＳＰによって操作され得る無線サービスネットワーク（ＷＳＮ）であり、ネットワーク１１０ｃは、そのユーザにインターネットアクセスを提供することを担うＩＳＰによって操作され得るインターネットサービスネットワーク（ＩＳＮ）である。図１には示していないが、ＷＳＮネットワーク１１０ｄ及びＩＳＮネットワーク１１０ｃの双方は、サーバ、モデム、ゲートウェイ、及びそれぞれのサービスを提供するのに必要なその他の要素を含み得る。ネットワーク１１０は４つの別々のネットワークとして描かれているが、状況に応じて、これらのネットワークのうちの２つ以上が単一のネットワークであってもよい。例えば、ＷＳＰ及びＩＳＰは、同一のネットワーク上で双方のサービスに必要な要素を管理する同一の企業体であってもよく、故に、ＩＳＮネットワーク１１０ｃ及びＷＳＮネットワーク１１０ｄは単一のネットワークにまとめられていてもよい。また、複数のネットワーク１１０間の相互接続は、図１に示したものとは異なっていてもよい。
【００１７】
一般的に、ネットワーク１１０ａ−ｄは、エンドポイント１４０及び／又はノード１７０（後述）間での情報のパケット、セル、フレーム又はその他の部分（ここでは概してパケットと称する）の通信を提供する。特定の実施形態において、ネットワーク１１０ａ−ｄはＩＰネットワークとし得る。ＩＰネットワークは、データをパケット内に配置し、各パケットを個別に、１つ以上の通信パスに沿って、選択された宛先に伝送することによってデータを伝送する。ネットワーク１１０ａ−ｄの何れかが、これに限定されるものではないが、インターネットを含むその他のＩＰネットワークに結合されていてもよい。ＩＰネットワークはデータを送信する共通の方法を共有するので、信号は、相互に接続された相異なるＩＰネットワーク上に位置する複数の装置間で伝送され得る。その他のＩＰネットワークに結合されることに加えて、ネットワーク１１０ａ−ｄの何れかが、インタフェース又は例えばゲートウェイ等の構成要素の使用を介して非ＩＰネットワークに結合されていてもよい。
【００１８】
ネットワーク１１０は、相互に、そしてその他のネットワークに、複数の有線リンク１６０、無線接続１５０及びノード１７０を介して接続され得る。有線リンク１６０、無線接続１５０及びノード１７０は、様々なネットワークを接続するだけでなく、エンドポイント１４０を、相互に、そしてネットワーク１１０の何れかに結合されるかその一部であるその他の構成要素に相互接続する。ネットワーク１１０の相互接続は、エンドポイント１４０がデータを通信したり相互間での信号伝達を制御したりすることを可能にし、且つ、介在する要素又は装置がデータを通信したり信号を制御したりすることを可能にする。従って、エンドポイント１４０のユーザは、ネットワーク１１０のうちの１つ以上に結合された各ネットワーク要素との間で、データの送受信を行ったり信号を制御したりすることが可能にされ得る。
【００１９】
上述のように、無線接続１５０は、例えばＷｉＭＡＸを用いた、２つの構成要素間の無線リンクを表す。特定の場合において、ＷｉＭＡＸ  ｍＢＳの拡張範囲は１つ以上のｆＢＳと協働して、ネットワーク１１０ａが、比較的少ない数の有線リンクを用いながら、ＭＡＮに結合された一層広い地理的領域をカバーすることを可能にし得る。より具体的には、都市圏の方々にｍＢＳ１２０及びｆＢＳ１９０を適切に配置することにより、複数のアクセス局が、ｍＢＳ１２０と通信するために無線接続１５０又は既存の有線リンクを使用し、且つ該都市圏の全体で無線エンドポイント１４０と通信するために無線接続１５０を使用することが可能となり得る。ｍＢＳ１２０は、無線接続１６０ａを介して、その他のｍＢＳ、ネットワーク１１０ｄの構成要素、無線接続を構築不能なネットワーク要素、及び／又は例えばインターネット等のＭＡＮの外部のその他のネットワークと通信し得る。
【００２０】
上述のように、ネットワーク１１０ａのカバレッジ品質は、ｆＢＳ１９０の使用により増強され得る。より具体的には、ＷｉＭＡＸ  ｆＢＳの比較的狭められた受信可能範囲は、ネットワーク１１０ａが、例えば建物内といった、より狭い領域内のユーザに、改善された信号品質及び／又は信号容量を提供することを可能にし得る。ｆＢＳ１９０は、既存のネットワークアクセスの使用によってアクセスリンクを提供することが可能であってもよい。より具体的には、ｆＢＳ１９０はオーナーのネットワークアクセス装置１８０に接続し得る。接続されると、ｆＢＳ１９０は、ＷＳＰのネットワーク（例えば、ネットワーク１１０ｄ）へのバックホール接続のために、ＩＳＰのネットワーク（例えば、ネットワーク１１０ｃ）を介してオーナーのＩＳＰによって提供されるオーナーのインターネットアクセスを使用し得る。
【００２１】
ノード群１７０は、ネットワーク要素、モデム、セッションボーダーコントローラ、ゲートキーパー、ＩＳＮゲートウェイ、ＷＳＮゲートウェイ、セキュリティゲートウェイ、ＯＡＭ＆Ｐ（operation  administration  maintenance  and  Provisioning；保守運用と提供）サーバ、ネットワークアクセスプロバイダ（ＮＡＰ）サーバ、基地局、カンファレンス・ブリッジ、ルータ、ハブ、スイッチ、ゲートウェイ、エンドポイント、又は、通信システム１００内でパケット交換を可能にする任意数の通信プロトコルを実装したその他のハードウェア、ソフトウェア若しくは埋込ロジック、の如何なる組み合わせを含んでいてもよい。
【００２２】
ネットワークアクセス装置１８０は、ハードウェア、コンピュータ読み取り可能媒体に埋め込まれたソフトウェア、及び／又は、ハードウェアに組み込まれた、あるいはその他の方法で格納された符号化ロジック（例えば、ファームウェア）の何らかの組み合わせによって、ｆＢＳ１９０にインターネットアクセスを提供し得る。特定の実施形態において、ネットワークアクセス装置１８０はオーナーのＩＳＰによって供給され得る。例えば、オーナーのＩＳＰがケーブルテレビ会社である場合、該ＩＳＰはケーブルモデムをネットワークアクセス装置１８０として供給し得る。他の一例として、オーナーのＩＳＰが電話会社である場合、該ＩＳＰはｘＤＳＬモデムをネットワークアクセス装置１８０として供給し得る。明らかなように、ネットワークアクセス装置１８０はｆＢＳ１９０以外の構成要素にインターネットアクセスを提供してもよい。例えば、オーナーは、インターネットにアクセスするために、自身のパーソナルコンピュータをネットワークアクセス装置１８０に接続してもよい。
【００２３】
エンドポイント１４０及び／又はノード１７０は、ハードウェア、コンピュータ読み取り可能媒体に埋め込まれたソフトウェア、及び／又は、ハードウェアに組み込まれた、あるいはその他の方法で格納された符号化ロジック（例えば、ファームウェア）の何らかの組み合わせによって、ユーザにデータ又はネットワークサービスを提供し得る。例えば、エンドポイント１４０ａ−１４０ｋは、セル方式携帯電話、ＩＰ電話、コンピュータ、ビデオモニタ、カメラ、携帯情報端末、又は、ネットワーク１１０のうちの１つ以上を用いてパケット（又は、フレーム）の通信を支援するその他のハードウェア、ソフトウェア及び／又は符号化ロジックを含み得る。
【００２４】
図１は特定の数及び構成のエンドポイント、接続、リンク及びノードを示しているが、通信システム１００は、如何なる数又は構成の、データを通信するための構成要素をも意図するものである。また、通信システム１００の要素は、互いに対して中央に位置する（ローカルな）構成要素や、通信システム１００全体に分散された構成要素を含んでいてもよい。
【００２５】
図２は、無線ネットワークを例示しており、エンドポイント２７０、ネットワークアクセス装置（ＮＡＤ）２５１及びｆＢＳ２５０を含む特定の一実施形態に従ったシステム２００をより詳細に示している。図示した実施形態は、複数のネットワーク２０５、ｆＢＳ２５０、ネットワークアクセス装置２５１及びエンドポイント２７０を含む簡略化した状況である。様々な実施形態において、システム２００は、如何なる数の、有線又は無線ネットワーク、ｍＢＳ、エンドポイント、ｆＢＳ、及び／又は、有線又は無線の何れの接続であろうとデータや信号の通信を容易にする、あるいはそれに関与するその他の構成要素、を有していてもよい。エンドポイント２７０及びｆＢＳ２５０は、ＰＨＹ／ＨＷブロック２７４及び２５４、ＭＡＣ／ＳＷブロック２７７及び２５７を有している。ｆＢＳ２５０は更に通信インタフェース２５６を有している。エンドポイント２７０及びｆＢＳ２５０はまた、無線機２７２及び２５２、アンテナ２７８及び２５８を含んでいる。これらの構成要素は、協働して、例えば無線ネットワーク（例えば、ＷｉＭＡＸ無線ネットワーク）内で無線接続をエンドポイントに提供すること等、無線接続無線ネットワークに関する機能を提供する。一部の実施形態において、ＰＨＹ／ＨＷブロック２５４及び２７４は、通信プロトコルの物理層と相互作用するように動作可能な要素及びハードウェアを有する。ＭＡＣ／ＳＷブロック２５７及び２７７は、通信プロトコルのメディアアクセス制御層と相互作用するように動作可能な要素及びソフトウェアを有し得る。以下、図２の態様及び構成要素に関する更なる細部を説明する。
【００２６】
ネットワーク２０５は、１つ以上の異なるオペレータによって操作される別個であるが相互接続された複数のネットワークを有し得る。より具体的には、ネットワーク２０５ａはＩＳＰのネットワークであり、ネットワーク２０５ｂは公衆ネットワーク（例えば、インターネット）であり、ネットワーク２０５ｃはＷＳＰのネットワークとし得る。ｆＢＳ２５０のオーナーはインターネットアクセスのためにネットワーク２０５ａを使用し得る。該オーナーにネットワークアクセスを提供するに当たり、ＩＳＰのネットワーク２０５ａは、モデム２２２、サーバ２２４、及びＩＳＰゲートウェイ２２６を含み得る。モデム２２２は、オーナーのネットワークアクセス装置２５１との通信のためにＩＳＰによって使用され得る。故に、ネットワークアクセス装置２５１及びモデム２２２は、これらが相互にデータを通信することを可能にする相補的なハードウェア及び／又はソフトウェアを有し得る。ネットワークアクセス装置２５１は、図１に関連して説明したネットワークアクセス装置１８０と同様に、オーナーのアクセスポイントとして作用する。モデム２２２は、ＩＳＰのネットワーク２０５ａとオーナーのネットワークアクセス装置２５１との間のゲートウェイとして作用する。特定の実施形態において、モデム２２２はセキュリティゲートウェイ機能を含んでいてもよい。サーバ２２４は、例えば、ＯＡＭ＆Ｐサーバ、認証・認可・課金（Authentication，Authorization  and  Accounting；ＡＡＡ）サーバ、動的ホスト構成プロトコル（Dynamic  Host  Configuration  Protocol；ＤＨＣＰ）、又はＩＳＰがオーナーにネットワークアクセス（又は、ＩＳＰによって提供されるその他の機能）を提供するために必要とするその他のサーバ等、１つ以上のサーバを有し得る。ＩＳＰゲートウェイ２２６は、ネットワーク２０５ａをネットワーク２０５ｂと接続するために必要なハードウェア及び／又はソフトウェアを有し得る。
【００２７】
ネットワーク２０５ｃはＷｉＭＡＸサービスプロバイダのネットワークとし得る。状況に応じて、ネットワーク２０５ｃは、ユーザ又はオーナーのＷｉＭＡＸサービスプロバイダのネットワークとし得る。ＷｉＭＡＸサービスを提供するに当たり、ネットワーク２０５ｃはサーバ２３２及びゲートウェイ２３４を使用し得る。サーバ２３２は、例えば、ＯＡＭ＆Ｐサーバ、ネットワークアクセスプロバイダ（ＮＡＰ）サーバ、ＡＡＡサーバ、自己組織型ネットワーク（Self  Organizing  Network；ＳＯＮ）サーバ、又はＷｉＭＡＸプロバイダがｆＢＳ２５０を設定／認証してユーザにＷｉＭＡＸサービスを提供するために必要とするその他のサーバ等、１つ以上のサーバを有し得る。ゲートウェイ２３４は、ネットワーク２０５ｃをネットワーク２０５ｂと接続するために必要なハードウェア及び／又はソフトウェアを有し得る。
【００２８】
ネットワーク２０５ａ及び２０５ｃはネットワーク２０５ｂを介して結合され得る。一部の実施形態において、ネットワーク２０５ｂはインターネットとし得る。故に、このような実施形態においては、ｆＢＳ２５０はインターネットを介してＷＳＰのネットワークであるネットワーク２０５ｃに接続される。ネットワーク２０５ｂは、単一のネットワークとして図示されているが、如何なる数の、図１に関連して説明したようなネットワークを有していてもよい。例えば、ネットワーク２０５ｂは、インターネット、ＬＡＮ、ＷＡＮ、ＭＡＮ、ＰＳＴＮ、又はこれらの組み合わせを有していてもよい。
【００２９】
ＰＨＹ／ＨＷブロック２５４及び２７４は、それぞれ、ｆＢＳ２５０及びエンドポイント２７０の動作に必要なハードウェアを含み得る。例えば、ＰＨＹ／ＨＷブロック２５４及び２７４は各々、１つ以上のプロセッサと、アナログ−デジタル変換器及びデジタル−アナログ変換器とを有し得る。各プロセッサは、マイクロプロセッサ、コントローラ、特定用途向け集積回路（ＡＳＩＣ）、フィールド・プログラマブル・ゲート・アレイ（ＦＰＧＡ）、その他の好適な計算装置やリソース、又は、無線ネットワークに関する機能を単独あるいはその他の要素（例えば、メモリ）とともに提供するように動作可能なハードウェア、ソフトウェア及び／又は符号化ロジックの組み合わせとし得る。この機能は、ここで説明するような様々な無線機能を提供することを含む。例えば、ＰＨＹ／ＨＷブロック２５４内の複数のプロセッサのうちの１つ以上は、ｆＢＳ２５０に低電力モードに入らせ、且つｆＢＳ２５０が低電力モードからアクティブモードに入るときを決定するための支援を提供することができてもよい。
【００３０】
一部の実施形態において、ＰＨＹ／ＨＷブロック２５４は１つ以上の相関器を含み得る。相関器は別個の部品であってもよいし、その機能が上述のハードウェアの組み合わせを用いて提供されてもよい。相関器は、受信信号を所定のシンボルと比較し、受信信号と所定のシンボルとの間の類似度に基づく値を出力することによって動作し得る。これら及びその他の実施形態の更なる詳細は、図２Ａ−４に関連して後述する。
【００３１】
また、ＰＨＹ／ＨＷブロック２５４及び２７４の各々はメモリモジュールを有していてもよい。各メモリモジュールは、以下に限定されないが、磁気媒体、光媒体、ランダムアクセスメモリ（ＲＡＭ）、読み出し専用メモリ（ＲＯＭ）、フラッシュメモリ、取り外し可能媒体、又はその他の好適な局所あるいは遠隔メモリ部品を含む、如何なる形態の不揮発性メモリであってもよい。これらのメモリモジュールは、それぞれ、ｆＢＳ２５０及びエンドポイント２７０によって使用される好適なデータ、命令、ロジック又は情報を格納し得る。このような好適なデータ、命令、ロジック又は情報は、コンピュータ読み取り可能媒体に埋め込まれたソフトウェア、及び／又はハードウェアに組み込まれた、あるいはその他の方法で格納された符号化ロジック（例えば、ファームウェア）を含み得る。様々な実施形態において、このメモリモジュールは、ｆＢＳ２５０が低電力モードにどのように出入りするかのパラメータ及びプロトコルに関する情報及び／又は命令を格納し得る。
【００３２】
ＭＡＣ／ＳＷブロック２５７及び２７７は、それぞれ、ｆＢＳ２５０及びエンドポイント２７０の動作に必要なソフトウェア、ロジック、又はその他の情報を含み得る。特定の実施形態において、これらのソフトウェア、ロジック又はその他の情報は、ＰＨＹ／ＨＷブロック２５４及び２７４のメモリモジュールに格納されてもよい。例えば、ＭＡＣ／ＳＷブロック２５７は、様々な実施形態において、ｆＢＳ２５０が低電力モードにどのように出入りするかのパラメータ及びプロトコルに関する情報及び／又は命令を有し得る。
【００３３】
無線機２５２及び２７２は、それぞれ、アンテナ２５８及び２７８に結合され、あるいはその一部にされ得る。無線機２５２及び２７２は、その他のｍＢＳ、ｆＢＳ及び／又はエンドポイントに無線接続を介して送出されるデジタルデータを受信し得る。無線機の動作例に関する更に多くの情報は、図２Ａ−４及びそれらそれぞれの説明を参照することによって理解され得る。
【００３４】
一部の実施形態において、ｆＢＳ２５０の動作中には様々な電力消費源が存在し得る。例えば、ＰＨＹ／ＨＷブロック２５４及びＭＡＣ／ＳＷブロック２５７（又は、様々な実施形態において、それらに等価なもの）は、アップリンクフレーム及びダウンリンクフレームを処理し得る。そのような部分で動作するプロセッサはエネルギーを消費する。また、通信中にｆＢＳ内でアナログ−デジタル変換器（ＡＤＣ）及びデジタル−アナログ変換器（ＤＡＣ）が用いられることがあり、それらが電力を消費する。ｆＢＳはまた、例えば増幅器、混合器、変調器、フィルタ、及びその他の好適な要素などの品目を含むＲＦ回路を含み得る。このような品目も電力を消費する。ｆＢＳは、上述の要素の何らかの組み合わせ又は全ての電力消費を抑制あるいは停止することによってエネルギーを節減するように低電力モードに入り得る。
【００３５】
アンテナ２５８及び２７８は、データ及び／又は信号を無線で送受信可能な如何なる形式のアンテナであってもよい。一部の実施形態において、アンテナ２５８及び２７８は、２ＧＨｚと６６ＧＨｚとの間の無線信号を送信／受信するように動作可能な、１つ以上の無指向性アンテナ、セクタアンテナ又はパネルアンテナを有し得る。無指向性アンテナは、あらゆる方向に対して無線信号を送信／受信するために使用され、セクタアンテナは、特定領域内の装置に対して無線信号を送信／受信するために使用され、パネルアンテナは、比較的直線的に無線信号を送信／受信するために使用される見通し線（ライン・オブ・サイト）アンテナとし得る。一緒になって、無線機２５２及びアンテナ２５８、無線機２７２及びアンテナ２７８、の各々は無線インタフェースを形成する。
【００３６】
通信インタフェース２５６は、ｆＢＳ２５０とネットワーク２０５との間での信号及び／又はデータの有線通信に使用され得る。例えば、通信インタフェース２５６は、ネットワークアクセス装置２５１上の対応するインタフェース（例えば、イーサネット(登録商標)インタフェース）に適合したインタフェース（例えば、ＲＪ−４５）を有し得る。図示していないが、エンドポイント２７０も有線インタフェースを含んでいてもよい。
【００３７】
ｆＢＳ１９０に関して上述したように、ｆＢＳ２５０は、本質的に、家庭又はオフィスに有限な受信可能領域を提供する小型基地局であり得る。ｆＢＳ２５０は、実施形態及び構成に応じて、公衆的であってもよいし私的であってもよい。ｆＢＳ２５０は、ＷｉＭＡＸサービスプロバイダがバックホール接続を供給するのとは異なり、ネットワークアクセス装置２５１を介したユーザのネットワークアクセスを頼りにして、ネットワーク２０５ｃへのバックホール接続を提供し得る。
【００３８】
ネットワークアクセス装置２５１は、オーナーにインターネットアクセスを提供するために使用され得る。ｆＢＳ２５０は、ＷｉＭＡＸネットワーク２０５ｃへの自身のバックホール接続に、インターネットアクセスを使用し得る。ネットワークサービスの種類及び／又はユーザのサービスプロバイダに応じて、ネットワークアクセス装置２５１は、ケーブルモデム、デジタル加入者回線（ＤＳＬ）モデム、光ファイバモデム、その他のモデム、ゲートウェイ、又はオーナーのネットワークサービスプロバイダにより提供されるネットワークアクセス装置とし得る。オーナーは、ｆＢＳ２５０とネットワークアクセス装置２５１との間に、如何なる数のルータ、スイッチ及び／又はハブを有していてもよい。
【００３９】
バックホール接続を構築する部分として、ｆＢＳ２５０はネットワークアクセス装置２５１と通信し得る。ネットワークアクセス装置２５１は、ユーザのＩＳＰによって提供された、あるいは権限を与えられたものであってもよく、ＩＳＰのネットワーク２０５ａへのアクセスをｆＢＳ２５０に提供し、その後、ＩＳＰのネットワーク２０５ａが、ネットワーク２０５ｂを介したネットワーク２０５ｃへのアクセスを許可し得る。ネットワーク２０５ａにアクセスすることは、モデム２４１がＩＳＰのモデム２２２と交信することを伴い得る。
【００４０】
ＩＳＰは、ユーザにインターネットアクセスを提供するに当たり、１つ以上のサーバ２２４（例えば、ＯＡＭ＆Ｐサーバ、ＡＡＡサーバ、ＤＨＣＰサーバ）を操作し得る。例えば、ユーザは、デジタル加入者回線（ＤＳＬ）プロバイダとのネットワークアクセス用のＤＳＬアカウントを有していてもよい。サーバ２２４は、ユーザが料金の支払いを済ましてＤＳＬプロバイダと良好な状態にあることを確かなものとし得る。
【００４１】
ＩＳＰゲートウェイ２２６は、ＩＳＰネットワーク２０５ａをインターネット（例えば、ネットワーク２０５ｂ）と接続し得る。これは、ｆＢＳ２５０がインターネットを介してＷｉＭＡＸネットワーク２０５ｃにアクセスすることを可能にする。ネットワーク２０５ａをインターネットと接続するに当たり、ゲートウェイ２２６は必要なフォーマット機能及び／又はセキュリティ機能を実行してもよい。
【００４２】
ＷｉＭＡＸネットワーク２０５ｃは、それ自身のゲートウェイ２３４及びサーバ２３２を有し得る。ＩＳＰネットワーク２０５ａのゲートウェイ及びサーバと同様に、ゲートウェイ２３４及びサーバ２３２は、ユーザが有効なＷｉＭＡＸアカウントを有すること、及びネットワーク２０５ｃが例えばネットワーク２０５ｂ等のその他のネットワークと通信できることを確保し得る。サーバ２３２はまた、ｆＢＳ２５０の様々な特徴及び機能を提供するために使用され得る情報、データ、命令及び／又はロジックを格納していてもよい。例えば、サーバ２３２はｆＢＳ２５０に、エンドポイント２７０との無線接続２９０に関するチャネル情報を提供してもよい。
【００４３】
エンドポイント２７０は、ｆＢＳ２５０との間でデータ及び／又は信号の送信及び受信を行うことが可能な如何なる種類のエンドポイントであってもよい。エンドポイント２７０の取り得る種類は、デスクトップコンピュータ、ＰＤＡ、セル方式携帯電話、スマートフォン、ノート型コンピュータ、及び／又はＶｏＩＰ電話を含み得る。
【００４４】
図２Ａは、無線機２５２及びＰＨＹ／ＨＷブロック２５４の一実施形態をより詳細に例示している。無線機２５２は、低域通過フィルタ２６２に結合された増幅器２６０を含んでいる。低域通過フィルタ２６２の出力は増幅器２６４に結合される。この構成により、無線機２５２は、増幅器２６０を用いて受信信号を増幅し、低域通過フィルタ２６２を用いて受信信号をフィルタリングし、増幅器２６４を用いて、フィルタリングされた信号を増幅し得る。受信信号は：
【数１】
2010109985.tif 000003
と表し得る。ただし、Ｃｍ［ｉ］は、レンジングスロットｔでレンジングコードを送信するＭ個のユーザのうちのｍ番目のユーザからのｉ番目の副搬送波におけるレンジングコードであり、ｎ（ｔ）はスロットｔにおけるノイズ信号であり、ＳＦは１つのレンジング用サブチャネルで使用される副搬送波の数であり、Ｎは多重伝搬チャネルの数であり、ＴｂはＯＦＤＭＡシンボル期間であり、ｔＴＴＤは伝送時間の遅延を表す。ｉ番目の副搬送波のチャネルモデルは：
【数２】
2010109985.tif 000004
と表すことができる。ただし、Ａは減衰係数であり、αはランダムな大きさであり、ｅｘｐ｛ｊ｝はランダムな位相であり、τはｉ番目のパスのマルチパス遅延である。
【００４５】
ＰＨＹ／ＨＷ２５４は、アナログ−デジタル変換器２８０、高速フーリエ変換（ＦＦＴ）２８２、相関器２８４−２９４、及び比較器２９６を含んでいる。ＰＨＹ／ＨＷ２５４は、増幅器２６４から増幅された信号を受信し、ＡＤＣ２８０を用いて該信号をデジタル形式に変換し得る。ＡＤＣ２８０から出力されるデジタル信号は、ＦＦＴ２８２を用いて周波数ドメインに変換され得る。ＦＦＴ２８２の出力は相関器２８４−２９４に送信される。相関器２８４−２９４は、ＦＦＴ２８２の出力を分析し、該信号内に様々なコード又はシンボル（例えば、レンジングコード等）が存在するかを決定し得る。相関器２８４−２９４は、コード又はシンボルが検出されたかを指し示す信号を出力し得る。これは：
【数３】
2010109985.tif 000005
に従って行われ得る。ただし、生じ得る全ての伝送時間遅延及びクロックオフセット値がΔｔで表されている。Ｒは、複数のスロットにまたがる相関を計上する値を提供する。相関器２８４−２９４によって出力される信号の強度は、信号内に存在するコード又はシンボルを正しく識別する統計的な可能性に依存して増大あるいは低減される。比較器２９６は、相関器２８４−２９４によって決定された検出シンボル又はコードが、低電力モード中のｆＢＳ２５０に予期されるシンボル又はコードであるかを決定し、検出シンボル又はコードが予期されるシンボル又はコードに一致することを指し示す信号を出力し得る。比較器２９６はまた、増幅器２６０及び２６４によって提供される増幅の量を変更する信号を送信するように構成されてもよい。
【００４６】
これまで、幾つかの異なる実施形態及び特徴を提示してきた。特定の実施形態は、これらの特徴の１つ以上を、動作上の必要性及び／又は要素の制約に応じて組み合わせ得る。これは、様々な組織及びユーザのニーズに対するネットワーク２００の多大な適応性を可能にし得る。以下、これらの構成要素が特定の実施形態の機能を提供するためにどのように相互作用するかを説明する助けとなるよう、幾つかの例を説明する。
【００４７】
一部の実施形態において、ｆＢＳ２５０はエンドポイント２７０にネットワーク２０５ｃへのアクセスを提供し得る。何らかの時点で、エンドポイント２７０はｆＢＳ２５０のサービスエリアから立ち去り得る。あるいは、その他の状況において、エンドポイント２７０は低電力モード（例えば、アイドリングモード又はスリープモード）に入り、もはやネットワーク２０５ｃと通信する必要がない状態となり得る。これらの及びその他の状況において、ｆＢＳ２５０は低電力モードに入ることを決定し得る。一部の実施形態において、ｆＢＳ２５０は、例えばエンドポイント２７０等のエンドポイントに、ｆＢＳ２５０との通信セッションに入るための機会を送信することを停止し得る。ｆＢＳ２５０はまた、あるいは代替的に、アンテナ２５８及び無線機２５２を用いて受信信号の増幅を抑制してもよい。例えば、ｆＢＳ２５０は増幅器２６０及び２６４における増幅率を（状況に応じて、ゼロまで）低下させ得る。低電力モードにある間、ｆＢＳ２５０は周期的にアクティブモードに入って、信号の送受信、及びｆＢＳ２５０がアクティブモードに留まるべきか低電力モードに戻るべきかの決定を行ってもよい。この決定は、ｆＢＳ２５０のサービスエリア内に、ｆＢＳ２５０との通信セッションに入ることを望むエンドポイントが存在するかに基づき得る。ＰＨＹ／ＨＷブロック２５４及び／又はＭＡＣ／ＳＷブロック２５７によって、タイミングパラメータ及びクロック情報の格納及び処理が行われてもよい。低電力モードにおいてエネルギーが節減される程度は、相異なる低電力モード間で異なり得る。例えば、アイドリングモードでは、スリープモードにおいてより多くのエネルギーが節減されてもよい。アイドリングモードにおいて、ｆＢＳ２５０は、スリープモードにおいてより少ない頻度で低電力モードを抜け出て信号を受信するように構成されてもよい。特定の実施形態において、アイドリングモードにあるとき、ｆＢＳ２５０は、スリープモードにあるときには電力を抑制あるいは除去しない１つ以上の構成要素からも、電力を抑制あるいは除去してもよい。そのような構成要素は、ＰＨＹ／ＨＷブロック２５４又は無線機２５２の発振回路を含み得る。これらの実施形態の更なる詳細及び変形例は、図３に関連して後述する。
【００４８】
一部の実施形態において、ｆＢＳ２５０は、１つ以上のレンジングコードを受信することによって、低電力モードから抜け出ることを決定し得る。低電力モードに入るとき、ｆＢＳ２５０は増幅器２６０及び２６４の増幅を抑制するように構成されてもよい。エンドポイントは、ｆＢＳ２５０との通信セッションに入ることを望むとき、ｆＢＳ２５０に、レンジングスロット内でレンジングコードを送信し得る。ｆＢＳ２５０は、無線機２５２を用いて、送信されたレンジングコードを検出し、受信したレンジングコードが、ｆＢＳ２５０が低電力モードにあるときに通信セッションに入るために用いられる一組の所定のレンジングコードに一致するかを決定し得る。受信したレンジングコードが所定のレンジングコードに一致する場合、ｆＢＳ２５０は、アクティブモードに入ることを決定し、レンジングコードを送信したエンドポイント（例えば、エンドポイント２７０等）との通信セッションを提供し得る。様々な実施形態において、ｆＢＳ２５０は、通信セッションを望む１つのエンドポイントから複数のレンジングコードを受信するように構成されてもよく、そのとき、ｆＢＳ２５０は、各レンジングコードの受信後に増幅器２６０及び２６４の増幅を増大させるように構成されてもよい。このような実施形態によってもたらされる１つの利点は、ｆＢＳ２５０が、アクティブモードに完全に入る必要なく誤検出を決定することができるため、電力を節減し且つその他の基地局との干渉を抑制し得ることである。これら及びその他の実施形態の更なる詳細は、図４に関連して後述する。
【００４９】
これまで、幾つかの異なる実施形態及び特徴を提示してきた。特定の実施形態は、これらの特徴の１つ以上を、動作上の必要性及び／又は要素の制約に応じて組み合わせ得る。これは、様々な組織及びユーザのニーズに対するネットワーク２００の多大な適応性を可能にし得る。
【００５０】
図３は、フェムト基地局（ｆＢＳ）が時間インターバルを用いて低電力モードに出入りする一実施形態を例示するフローチャートである。一般に、図３に示すステップ群は、必要に応じて、組み合わされ、変更され、あるいは削除されてもよく、また、この処理の例に更なるステップが追加されてもよい。さらに、記載のステップ群は好適な如何なる順序で実行されてもよい。
【００５１】
ステップ３０２にて、ｆＢＳは１つ以上のエンドポイントとの通信セッションにある。ｆＢＳはエンドポイントに、バックホール接続を介した無線ネットワークへのアクセスを提供し得る。この通信セッション中、複数のエンドポイントのうちの１つ以上がｆＢＳのサービスエリアを立ち去り得る。また、複数のエンドポイントのうちの幾つかが、ｆＢＳと通信しない低電力モード（例えば、アイドリングモード又はスリープモード等）に入り得る。エンドポイントによるこれら又はその他の活動に応答して、ステップ３０３にて、ｆＢＳは低電力モードに入ることを決定し得る。例えば、ｆＢＳのサービスエリア内にエンドポイントが存在しない場合、ｆＢＳは低電力モードに入ることを決定し得る。他の一例として、ｆＢＳのサービスエリア内の全てのエンドポイントが低電力モード（例えば、アイドリングモード又はスリープモード等）に入った場合、ｆＢＳは低電力モードに入り得る。一部の実施形態において、ｆＢＳは、無線ネットワークからのメッセージに応答して、低電力モードに入ることを決定してもよい。例えば、無線ネットワークはｆＢＳに、ｆＢＳのサービスエリア内にエンドポイントが存在しないことを通知し得る。無線ネットワークはまた、例えばネットワークの干渉レベル等のその他の考察によって、ｆＢＳに低電力モードに入ることを要求するメッセージを送信してもよい。
【００５２】
ステップ３０４にて、ｆＢＳは、低電力モードに入ろうとしていることの１つ又は複数の通知を、無線ネットワークの様々なノードに送信し得る。ｆＢＳは、低電力モードに入ろうとしていることのメッセージを、そのサービスエリア内のエンドポイントに送信してもよい。ｆＢＳはまた、低電力モードに入ろうとしていることの通知を、無線ネットワーク内の１つのノードに送信してもよい。このような１つのノードはＡＳＮ−ＧＷ（アクセスサービスネットワーク−ゲートウェイ）としてもよい。ｆＢＳは、無線ネットワーク内のエンティティが、ネットワーク負荷を含め、無線ネットワーク内で行われている通信セッションを正確に表現したものを有し得るようにする通知を送信してもよい。このような情報により、ｆＢＳからこのような通知を受信した無線ネットワーク内のエンティティは、無線ネットワーク内のリソースを一層効率的に管理することができる。一部の実施形態において、ｆＢＳは、例えばＷｉＭＡＸネットワーク内で動作しているとき等、ＦＥＭＴＯ＿ＳＬＰ＿ＲＥＱメッセージを送信してもよい。様々な実施形態において、ｆＢＳはまた、無線ネットワーク内の例えばＡＳＮ−ＧＷ等の１つのエンティティにＦＥＭＴＯ＿ＳＬＰ＿ＲＥＱメッセージを送信してもよい。ＦＥＭＴＯ＿ＳＬＰ＿ＲＥＱメッセージは、ＷｉＭＡＸプロトコルのＭＯＢ＿ＳＬＰ＿ＲＥＱメッセージと同様に構造化され得るが、それがｆＢＳから発せられたことを指し示し得る。ステップ３０６にて、ｆＢＳは、ステップ３０４にて送信された１つ以上の通知への１つ以上の応答を受信し得る。ｆＢＳが低電力モードに入ることの通知を送信した無線ネットワーク内のエンドポイント及びエンティティの双方が、該通知を受信したことを肯定応答し得る。この応答はまた、ｆＢＳのサービスエリア内のエンドポイント等のエンティティを同期化させるように作用し得る。ステップ３０８、３１０及び３１２に関連して更に後述するように、この同期化は、ｆＢＳが何時どのように低電力モードを抜け出してアクティブモードに入るかを決定する上で有用なものとなり得る。
【００５３】
ステップ３０８にて、ｆＢＳは低電力モードに入り、ｆＢＳが低電力モードを何時抜け出るかを決定するタイマーを開始させ得る。例えば、ｆＢＳは、低電力モードに所定期間留まった後に、エンドポイントがｆＢＳとの通信セッションに入ることを望んでいるかを決定するために低電力モードを抜け出し得る。所定期間使用されるタイマーは、ステップ３０６にて受信した応答を利用することによって、ｆＢＳのサービスエリア内のエンドポイントと同期化され得る。ｆＢＳは、低電力モードに入ると、１つ以上の事項に関して該ｆＢＳの動作を変更し得る。例えば、ｆＢＳは無線ネットワーク上で何らかの情報を送信することを中止してもよい。一部の実施形態において、ｆＢＳは通信セッションの複数のフレームの間、プリアンブルを送信することを中止し得る。低電力モード中のｆＢＳ挙動の変更の他の一例は、増幅器によって受信信号に適用される利得を低減するものである。ｆＢＳが低電力モードに留まる期間は、ｆＢＳのサービスエリア内のエンドポイントの状態に応じてｆＢＳによって決定され得る。例えば、そのようなエンドポイントのうちの１つ以上は低電力モードにあり、その間、自身宛の通信に周期的に耳を傾け（リッスンし）てもよい。ｆＢＳは、そのようなエンドポイントが自身宛の通信を何時リッスンするかに基づいて期間を決定するように構成されてもよい。
【００５４】
一部の実施形態において、ｆＢＳのサービスエリア内のエンドポイント群は、複数の種類の低電力モードにあってもよい。例えば、１つのエンドポイントはアイドリングモードにあり、別の１つのエンドポイントはスリープモードにあってもよい。これら相異なる低電力モードにあることは、複数のエンドポイントが相異なるインターバルで着信に対するリッスンモードに入ることを意味する。結果として、ｆＢＳは、ｆＢＳのサービスエリア内のエンドポイント群が入っている相異なる低電力モードの各々が満足されるように、上記期間を決定し得る。故に、ｆＢＳは、エンドポイントの１つのインターバルが満了したときに低電力モードを抜け出し、そして、エンドポイントの別の１つのインターバルが満了したときにも低電力モードを抜け出し得る。
【００５５】
ステップ３１０にて、ｆＢＳは低電力モードを抜け出てアクティブモードに入り得る。これは、ステップ３０８で説明した所定期間の満了に応答して行われ得る。また、ｆＢＳは、無線ネットワークから受信した通信に応答して、アクティブモードに入ることを決定してもよい。例えば、無線ネットワーク上のサーバは、アクティブモードに入るようにｆＢＳに命令するメッセージをｆＢＳに送信し得る。ネットワーク上のサーバは、新たなエンドポイントがｆＢＳのサービスエリア内に入ろうとしていることを認識しているからである。ｆＢＳがアクティブモードに入ることの要求を無線ネットワーク上のサーバが送信し得る別の理由は、無線ネットワークは、ｆＢＳのサービスエリア内のエンドポイントのうちの１つに情報を送信する必要がある場合があるからである。また、無線ネットワークは、現在はその他の基地局によってサービスを受けているエンドポイントにｆＢＳがサービス提供可能になる場合にネットワークの混雑が緩和されることを決定し得る。
【００５６】
アクティブモードにあるステップ３１２にて、ｆＢＳはそのサービスエリア内のエンドポイントにメッセージを送信し得る。このメッセージは、エンドポイントの何れかがｆＢＳからそれに送信される必要があるデータを有するかを指し示し得る。このメッセージはまた、無線ネットワークに関する、あるいはｆＢＳのサービスエリアに関するその他の情報を含んでいてもよい。このメッセージはまた、エンドポイント及び／又はｆＢＳが低電力モードに入る期間に関するタイミングパラメータ又はその他の同期化情報を含んでいてもよい。ｆＢＳはまた、ステップ３１２中に、サービスエリア内の様々なエンドポイントからメッセージを受信し得る。例えば、ｆＢＳは、ｆＢＳとの通信セッションに入る必要がある１つのエンドポイントからメッセージを受信し得る。
【００５７】
ステップ３１４にて、ｆＢＳは、自身が低電力モードに再び入るか否かを決定し得る。この決定は、ステップ３１０又は３１２におけるｆＢＳが関与する活動に依存し得る。例えば、ネットワークによってｆＢＳに、１つ以上のエンドポイントに送信する必要がある情報が通知された場合、ｆＢＳは、その情報を適切なエンドポイントに送信することができるように、低電力モードに入らないことを決定し得る。また、ｆＢＳは、ステップ３１２にて或るエンドポイントから、該エンドポイントがｆＢＳとの通信セッションに入る必要があることを指し示すものを受信していることもあり得る。そのような場合、ｆＢＳは、そのエンドポイントとの通信セッションに参加することができるように、再び低電力モードに入ることはしない。ｆＢＳは、そのような活動が必要ないと決定した場合、低電力モードに再び入ることを決定し、ステップ３０８に進み得る。
【００５８】
一部の実施形態において、ｆＢＳは、所定の期間が満了したことに応答して、低電力モードに再びはいることを決定し得る。例えば、ｆＢＳは、ステップ３１０にて、予め定められた有限な期間だけアクティブモードに入ることを決定してもよい。この期間が、ｆＢＳがアクティブモードに留まることを必要とする活動が発生することなく満了した場合、ｆＢＳは低電力モードに再び入ることを決定し、ステップ３０８に進み得る。
【００５９】
ｆＢＳは、自身が低電力モードに留まる量及び期間を、ステップ３１２にて送信あるいは受信されたメッセージに基づいて再決定してもよい。ｆＢＳはまた、以前に留まったのと同一の期間だけ留まることを決定してもよい。ｆＢＳが低電力モードに留まる期間の決定は、ｆＢＳのサービスエリア内のエンドポイントが入っている低電力モードの種類に応じて為されてもよい。例えば、複数のエンドポイントがスリープモード又はアイドリングモードにあり、それらのモードが、エンドポイントがそれらのモードを立ち去る期間を異にしていることがあり得る。ｆＢＳは、自身がどれだけ長く低電力モードに留まるかの決定に、これらの相異なる期間を組み入れることを選択してもよい。ｆＢＳは、低電力モードに入らないことを決定した場合、アクティブモードに入るステップ３１６に進み得る。
【００６０】
ステップ３１６にて、ｆＢＳはアクティブモードに入る。このアクティブモードにおいて、ｆＢＳはそのサービスエリア内で情報を送受信し得る。上述のように、ｆＢＳは、そのサービスエリア内のエンドポイントに無線ネットワークからの通信を送信する必要があるために、ステップ３１６に入ってもよい。また、ｆＢＳは、そのサービスエリア内の、無線ネットワークへのアクセスを要求しているエンドポイントに、該アクセスを提供する必要があるために、ステップ３１６に入ってもよい。このような要求は、ステップ３１２でｆＢＳによって受信されたものであり得る。ステップ３１８にて、ｆＢＳはネットワークのノードに、自身がアクティブモードに入ったことの１つ以上の通知を送信し得る。例えば、ｆＢＳはそのサービスエリア内のエンドポイントに、自身がアクティブモードに入ったことの１つ以上の通知を送信し得る。ｆＢＳはまた、無線ネットワーク内のノードに、自身がアクティブモードに入ったことの１つ以上の通知を送信してもよい。例えば、ｆＢＳは、自身がアクティブモードに入ったことの通知を、無線ネットワーク内のＡＳＮ−ＧＷに送信してもよいし、あるいは、そのような通知を利用して自身の活動を容易にし得るその他のノードに送信してもよい。これは、無線ネットワークのオペレータに、ネットワーク負荷を含む無線ネットワーク内の動作の更なる可視性を提供し得る。このような可視性は、無線ネットワークのオペレータに、無線ネットワークのリソースを更に効率的に管理する機会を提供し得る。例えば、無線ネットワークのオペレータは、ネットワークの様々な箇所におけるネットワーク負荷に基づいて、エンドポイントを様々な基地局に経路付けることができる。アクティブモードに入ると、ｆＢＳはステップ３０２に戻り、様々なエンドポイントに無線ネットワークへのアクセスを提供し得る。
【００６１】
図４は、例えばｆＢＳ２５０等のフェムト基地局が、図３で説明した時間インターバルの代わりにレンジングモードを用いて低電力モードに出入りする一実施形態を例示するフローチャートである。更に後述するように、レンジングコードの使用は、ｆＢＳが低電力モードに入ることによって引き起こされるサービスの途絶を抑制し得る。一般に、図４に示すステップ群は、必要に応じて、組み合わされ、変更され、あるいは削除されてもよく、また、この処理の例に更なるステップが追加されてもよい。さらに、記載のステップ群は好適な如何なる順序で実行されてもよい。
【００６２】
ステップ４０２にて、ｆＢＳはそのサービスエリア内の１つ以上のエンドポイントに無線アクセスを提供し得る。ステップ４０２の実行はステップ３０２の実行と同様とし得る。ステップ４０４−４１６の実行に由来し、ステップ３０２にて行われる変形と同等のステップ４０２の実行における変形は好ましいものとなり得る。以下、これらの変形の幾つかの例を説明する。
【００６３】
ステップ４０４にて、ｆＢＳはそのサービスエリア内のエンドポイントに、低電力モードに入ろうとしていることの通知を送信し得る。ｆＢＳはまた、無線ネットワーク内のエンティティ（例えば、ＡＳＮ−ＧＷ等）に、低電力モードに入ろうとしていることの１つ以上の通知を送信してもよい。ｆＢＳはそのサービスエリア内のエンドポイントに、エンドポイントがレンジングコード及びレンジングスロットを決定するために使用し得るパラメータを送信し得る。これらのレンジングコード及びレンジングスロットは、例えばエンドポイントがｆＢＳとの通信セッションに入る必要があるときに、エンドポイントによって、ｆＢＳに低電力モードを抜け出させるために使用され得る。これらのパラメータは、使用されるべき実際のレンジングコード及びレンジングスロットを含み得る。一部の実施形態において、これらのパラメータは、例えば、ランダムに生成されたレンジングコード及びレンジングスロットを決定し得るようにエンドポイントが使用する暗号情報などの情報を含んでいてもよい。これは、エンドポイントとｆＢＳとの間の通信に更なる安全性を提供することにより有益となり得る。例えば、ｆＢＳは、暗号的に安全な疑似乱数発生器（cryptographically  secure  pseudoranom  generator；ＣＳＰＲＮＧ）信用証明を含んでいてもよい。ＣＳＰＲＮＧ信用証明は、ｆＢＳにてランダムに生成され、例えばトラフィック暗号鍵（ＴＥＫ）を用いるもの等の暗号形式、又はその他の暗号形式にて送信され得る。ＣＳＰＲＮＧ信用証明を受信したエンドポイントは、合意された暗号アルゴリズムに基づいてｆＢＳが生成するものと同一の乱数を生成することができる。好適な暗号アルゴリズムの例には、ＡＥＳ−１２８等の先端暗号規格（Advanced  Encryption  Standard；ＡＥＳ）に記載されたアルゴリズムが含まれ得る。エンドポイント及びＢＳは、上記通知にて送信されたＣＳＰＲＮＧ信用証明と、例えばフレーム番号、クロック値、ｆＢＳのハードウェア識別値などのその他のエントロピー入力又はその他の入力とを用いて、生成されるフレームごとに変更されるように乱数を生成し得る。一部の実施形態において、ｆＢＳはそのサービスエリア内の各エンドポイントに異なるＣＳＰＲＮＧ信用証明を送信し得る。しかしながら、ｆＢＳはそのサービスエリア内のエンドポイント群に同一のＣＳＰＲＮＧ信用証明を送信してもよい。レンジングコード及びスロットは、この生成された乱数に基づいて、多様な手法にて決定され得る。一例において、レンジングスロットは、生成された乱数の第１最上位バイトに従って生成され、レンジングコードは、生成された乱数の第２最上位バイトに従って生成され得る。例えば、レンジング用サブチャネルは、レンジング用サブチャネルの総数を法とする乱数の第１最上位バイトの剰余とし、レンジングコードは、レンジングコードの総数を法とする乱数の第２最上位バイトの剰余としてもよい。以上は、生成された乱数をレンジングスロット及びコードを決定するために使用する多数の様々な手法のうちの単なる一例である。
【００６４】
ステップ４０６にて、ｆＢＳは、低電力モードにありながら、そのサービスエリア内のエンドポイントによって送信されたレンジングコードを監視する。この間、ｆＢＳは、如何なる情報も送信せず、電力を節減し且つその他の基地局との干渉を抑制し得る。受信した信号を処理するｆＢＳの動作も、例えば受信信号に適用される増幅率を低減することによって、低電力モードにて行われ得る。ステップ４０８にて、ｆＢＳは１つ以上のレンジングコードを受信する。レンジングコードは、ｆＢＳのサービスエリア内のエンドポイントによって送信され得る。一部の実施形態において、エンドポイントによるレンジングコードの送信は、無線ネットワーク上のその他のノードから行われる通信、及びエンドポイントとｆＢＳとの間に存在するクロックドリフトを考慮に入れるようにして行われてもよい。これは、εがエンドポイントとｆＢＳとの間の許容クロックドリフトの総和を表すとして、好適なプロトコルに従って無線ネットワーク上で行われることが既知の通信からεシンボル隔ててレンジングコードを送信することによって行われ得る。例えば、レンジングコードは、ＷｉＭＡＸプロトコルにてプリアンブルシンボルが送信される時からεシンボル隔てて送信され得る。エンドポイントは、ｆＢＳにエンドポイントとの通信セッションを開始させるためにレンジングコードを送信し得る。
【００６５】
何れのレンジングコードを受信したかを特定するため、ｆＢＳは受信信号を様々な手法で処理し得る。例えば、ｆＢＳは受信信号を増幅した後、増幅された信号を低域通過フィルタへと通し得る。低域通過フィルタは、信号内に存在するノイズの量を低減するために使用される。ｆＢＳは、信号内に存在し得るレンジングコードを適切に検出する確率を増大させるため、フィルタリングされた信号を増幅し得る。ｆＢＳはこれらの作業を様々なハードウェア要素及びソフトウェア要素を用いて達成し得る。これらの要素は、増幅器２６０及び２６４、並びに低域通過フィルタ２６２と同様とし得る。そして、増幅され且つフィルタリングされた信号は、例えばＡＤＣ２８０等のアナログ−デジタル変換器を用いてデジタル信号に変換され得る。デジタル信号は、例えばＦＦＴ２８２等の１つ以上の要素を用いて周波数ドメインに変換され得る。そして、周波数ドメインのデジタル信号は、信号内に存在するレンジングコードに関して分析され得る。これは、一部の実施形態において、例えば相関器２８４−２９４等の相関器を用いて行われ得る。各々が１つ以上のレンジングコードに対応する複数の相関器の使用は、複数のレンジングコードが並行して識別され得るので、受信信号の処理を高速化し得る。
【００６６】
ステップ４１０にて、ｆＢＳは、検出したレンジングコードが所定のレンジングコードと一致するか否かを決定し得る。上述のように、所定のレンジングコードは、ｆＢＳが低電力モードに入るときに選択され得る。所定のレンジングコードはランダム且つ動的に決定され得る。これは、暗号的に安全な乱数発生器を用いて行われ得る。ｆＢＳが一組の所定のレンジングコードを取得すると、検出した一組のレンジングコードと所定のレンジングコードとの比較が行われる。所定のレンジングコードと検出したレンジングコードとの比較を行うことには、例えば比較器２９６等の１つ以上の要素が用いられ得る。検出したレンジングコードの何れかが所定のレンジングコードの何れかと一致する場合、ｆＢＳはステップ４１２に進み得る。しかしながら、受信信号が所定のレンジングコードと一致するレンジングコードを含まなかった場合、ｆＢＳはステップ４０６に戻り、送信されるレンジングコードの監視を継続する。様々な実施形態において、レンジングコードが一致する場合、ｆＢＳは、ステップ４１２及び４１４に進むことに代えて、ステップ４１６に進んでもよい。ステップ４１２及び４１４に進むことの利点は、一部の実施形態において、ｆＢＳが、１つのエンドポイントによって送信されたレンジングコードを検出することに関して、誤検出を決定することを回避し得ることである。ｆＢＳは、ステップ４１２及び４１４を通ることにより、アクティブモードに入ることを決定する前に、同一のエンドポイントから複数のレンジングコードを受信するように構成され得る。しかしながら、ｆＢＳは、ステップ４１２及び４１４を通ることなく、一組の所定のレンジングコードに対する一致を含む一組のレンジングコードを受信するのみで、ステップ４１６で更に説明するアクティブモードに入ることを決定してもよい。
【００６７】
上述のように、レンジングコードは複数のレンジングスロットにわたってｆＢＳに送信され得る。従って、様々な実施形態において、ｆＢＳは、受信したレンジングコードが適切なレンジングスロットで送信されている場合にのみ、一致が生じたと決定してもよい。この処理は更に、各レンジングスロット間の遅延時間が同一であることを確保することによって、誤りから保護され得る。そのような決定は、複数のレンジングコードが同一のエンドポイントによって送信されたものであることを指し示し得る。このステップへの必要に応じてのこれらの付加は、一致が存在するかを決定するために用いられ得る。
【００６８】
ステップ４１２にて、一部の実施形態において、ｆＢＳは、受信したレンジングコードが所定のレンジングコードと一致すると決定したことに応答して、１つ以上の増幅器の増幅率を増大させてもよい。このステップで増幅率が増大される該１つ以上の増幅器は、例えば増幅器２６０及び２６４等の増幅器を含み得る。増幅率の増大量は設定可能とし得る。比較的小さい量だけ増幅量を増大させることによってｆＢＳが消費する電力量を低減することが望ましい場合がある。しかしながら、様々な実施形態において、誤判定を排除する助けとなり得る点で、比較的大きい量だけ増幅率を増大させることが有利となり得る。
【００６９】
ステップ４１４にて、ｆＢＳは、増幅率が所定に閾値に達したかを決定し得る。この閾値は、所望の確率で適切なレンジングコードを受信し得るように設定され得る。故に、増幅率が閾値以上の値に達した場合、ｆＢＳはステップ４１６に進み得る。しかしながら、閾値に達していない場合、ｆＢＳはステップ４０８に進む。以下の例は、様々な実施形態においてこの処理がどのように進められるかを説明する助けとなろう。ｆＢＳは、先ず、一致するレンジングコードを受信し、１レベルだけ増幅率を増大させる。ｆＢＳはその後、所定の組と一致する更なるレンジングコードの受信を待つ。第２の一致するレンジングコードを受信した後、ｆＢＳは増幅率を更に増大させる。しかしながら、この後者の増幅率の増大は、依然として、所定の閾値に一致するほど高いものではない。これは、ｆＢＳが複数のレンジングコードを複数の増幅率で受信することを可能にし、ｆＢＳが検出し得る誤検出の量を低減する助けとなる。閾値が高く設定されるほど、受信信号を一致するレンジングコードとして誤って識別する確率が低減される。最終的に、ｆＢＳは第３の一致するレンジングコードを受信して増幅率を増大させ得る。この最終的な増幅率の増大は閾値に達するものであり、ｆＢＳはステップ４１６に進み得る。閾値の値及び増幅率の値は全て、所望の確率でレンジングコードを正確に検出し得るように様々な大きさに設定され得る。
【００７０】
ステップ４１６にて、ｆＢＳはアクティブモードに入り得る。アクティブモードにおいて、ｆＢＳはそのサービスエリア内のエンドポイントとの通信セッションに入り得る。ｆＢＳはまた、エンドポイントが通信セッションに入る機会を周期的に送信することを再開し得る。ｆＢＳはまた、受信信号の増幅率を通常のレベルに設定し得る。斯くして、ステップ４０２−４１６にて説明したように、ｆＢＳはアクティブモードから低電力モードへと移行し、そして、エンドポイントが例えばレンジングコード等の信号を送信したことに応答して、アクティブモードに戻ることができる。これは、ネットワーク干渉及び電力消費の量を抑制しながら、通信に関するエンドポイントのニーズ及び望みにｆＢＳが一層迅速に応答することが可能となり得る点で有利となり得る。
【００７１】
幾つかの実施形態を例示し、詳細に説明したが、認識されるように、請求項の主旨及び範囲を逸脱することなく、様々な改変及び代用が可能である。
【００７２】
以上の説明に関し、更に以下の付記を開示する。
【００７３】
（付記１）  基地局にて、複数のエンドポイントに無線ネットワークへのアクセスを提供する段階と、
前記基地局にて、低電力モードに入る段階であり、該低電力モードにある間、前記基地局は前記複数のエンドポイントに前記無線ネットワークへのアクセスを提供することを中止する、段階と、
前記基地局にて、第１の所定期間の間、前記低電力モードからアクティブモードに移行する段階であり、前記第１の所定期間が前記基地局及び少なくとも１つのエンドポイントによって特定された後に、前記基地局が前記アクティブモードに移行する段階と、
前記基地局が、前記アクティブモードに移行した後、第２の所定期間中に、少なくとも１つのエンドポイントから前記無線ネットワークへのアクセス要求を受信した場合に、前記アクティブモードに留まる段階と、
前記基地局が、前記アクティブモードに移行した後、前記第２の所定期間中に、何れのエンドポイントからも前記無線ネットワークへのアクセス要求を受信しない場合に、前記低電力モードに移行する段階と、
を有する無線通信方法。
（付記２）  前記基地局を、インターネットサービスプロバイダのネットワークを介して前記基地局に前記無線ネットワークへのアクセスを提供するネットワークアクセス装置に結合する段階を更に有し、
前記複数のエンドポイントに前記無線ネットワークへのアクセスを提供する段階は、前記インターネットサービスプロバイダのネットワークを使用し、且つ
前記無線ネットワークは無線サービスプロバイダのネットワークを有する、
付記１に記載の方法。
【００７４】
（付記３）  前記基地局にて、前記無線ネットワークからメッセージを受信したことに応答して、前記低電力モードから前記アクティブモードに移行する段階、を更に有する付記１に記載の方法。
（付記４）  前記無線ネットワークがネットワーク負荷情報を更新し得るように、前記基地局によって、前記アクティブモードから前記低電力モードへの移行を前記無線ネットワークに通知する段階、を更に有する付記１に記載の方法。
【００７５】
（付記５）  前記基地局によって、前記アクティブモードから前記低電力モードへの移行を少なくとも１つのエンドポイントに通知する段階であり、該エンドポイントが該通知に応答して前記第１の所定期間を決定し得るようにする段階、を更に有する付記１に記載の方法。
（付記６）  前記無線ネットワークはＷｉＭＡＸネットワークを有する、付記１に記載の方法。
【００７６】
（付記７）  基地局にて、複数のエンドポイントに無線ネットワークへのアクセスを提供する段階と、
前記基地局にて、低電力モードに入る段階であり、該低電力モードにある間、前記基地局は前記複数のエンドポイントに前記無線ネットワークへのアクセスを提供することを中止する、段階と、
前記基地局にて、少なくとも１つのエンドポイントから少なくとも１つのレンジングコードを受信する段階と、
前記基地局にて、受信レンジングコードのうちの少なくとも１つが、一組の所定のレンジングコードのうちの少なくとも１つのレンジングコードに一致することを決定する段階と、
前記基地局にて、少なくとも１つの受信レンジングコードが少なくとも１つの所定のレンジングコードと一致すると決定したことに応答して、前記低電力モードを抜け出る段階と、
を有する無線通信方法。
（付記８）  少なくとも１つの受信レンジングコードが少なくとも１つの所定のレンジングコードと一致することを決定する段階は更に、
（ａ）第１の受信レンジングコードが第１の所定のレンジングコードと一致することを決定する段階と、
（ｂ）前記（ａ）の段階における決定に応答して、前記低電力モードを抜け出る段階に先立って、前記基地局における受信信号の増幅率を増大させる段階と、
（ｃ）第２の受信レンジングコードが第２の所定のレンジングコードと一致することを決定する段階であり、前記第２の受信レンジングコードは、前記基地局における受信信号の増幅率を増大させた後に前記基地局にて受信される、段階と、
を有し、且つ
前記低電力モードを抜け出る段階は更に、前記（ｃ）の段階における決定に応答して前記低電力モードを抜け出ることを有する、
付記７に記載の方法。
（付記９）  少なくとも１つの受信レンジングコードが少なくとも１つの所定のレンジングコードと一致することを決定する段階は更に、（ｄ）前記第１の受信レンジングコードに関する時間遅延が前記第２の受信レンジングコードに関する時間遅延と略等しいことを決定する段階を有し、且つ
前記低電力モードを抜け出る段階は更に、前記（ｃ）及び（ｄ）の段階における決定に応答して前記低電力モードを抜け出ることを有する、
付記８に記載の方法。
（付記１０）  前記基地局を、インターネットサービスプロバイダのネットワークを介して前記基地局に前記無線ネットワークへのアクセスを提供するネットワークアクセス装置に結合する段階を更に有し、
前記複数のエンドポイントに前記無線ネットワークへのアクセスを提供する段階は、前記インターネットサービスプロバイダのネットワークを使用し、且つ
前記無線ネットワークは無線サービスプロバイダのネットワークを有する、
付記７に記載の方法。
【００７７】
（付記１１）  前記基地局にて、前記無線ネットワークからメッセージを受信したことに応答して、前記低電力モードから前記アクティブモードに移行する段階、を更に有する付記７に記載の方法。
【００７８】
（付記１２）  前記無線ネットワークがネットワーク負荷情報を更新し得るように、前記基地局によって、前記アクティブモードから前記低電力モードへの移行を前記無線ネットワークに通知する段階、を更に有する付記７に記載の方法。
【００７９】
（付記１３）  前記無線ネットワークはＷｉＭＡＸネットワークを有する、付記７に記載の方法。
【００８０】
（付記１４）  前記基地局から少なくとも１つのエンドポイントに、前記アクティブモードから前記低電力モードへの移行を指し示す通知を送信する段階を更に有し、該通知は少なくとも１つの所定のレンジングコードを決定するために使用される暗号パラメータを含む、付記７に記載の方法。
（付記１５）  少なくとも１つの受信レンジングコードが少なくとも１つの所定のレンジングコードと一致することを決定する段階は更に、前記少なくとも１つの受信レンジングコードのレンジングスロットが、前記少なくとも１つの所定のレンジングコードのレンジングスロットと一致することを決定する段階を有する、付記７に記載の方法。
（付記１６）  無線機と少なくとも１つのプロセッサとを有し、
前記無線機は、
複数のエンドポイントに無線ネットワークへのアクセスを提供し、
基地局が低電力モードにある間、前記複数のエンドポイントに前記無線ネットワークへのアクセスを提供することを中止し、且つ
少なくとも１つのエンドポイントから前記無線ネットワークへのアクセス要求を受信する
よう動作し、且つ
前記少なくとも１つのプロセッサは、
前記基地局に前記低電力モードに入らせ、
第１の所定期間を特定し、
前記第１の所定期間の間、前記基地局に前記低電力モードからアクティブモードに移行させ、
前記低電力モードから前記アクティブモードへの移行後、第２の所定期間中に前記要求が受信された場合に、前記基地局に前記アクティブモードに留まらせ、且つ
前記低電力モードから前記アクティブモードへの移行後、前記第２の所定期間中に前記要求が受信されない場合に、前記基地局に前記アクティブモードから前記低電力モードに移行させる
よう動作する、
無線通信システム。
（付記１７）  インタフェースを更に有し、
前記無線ネットワークは無線サービスプロバイダのネットワークを有し、
前記インタフェースは、
前記基地局を、インターネットサービスプロバイダのネットワークを介して前記基地局に前記無線ネットワークへのアクセスを提供するネットワークアクセス装置に結合し、且つ
前記無線機を、前記複数のエンドポイントに前記無線ネットワークへのアクセスを提供することが前記インターネットサービスプロバイダのネットワークを使用するように結合する
よう動作する、
付記１６に記載のシステム。
【００８１】
（付記１８）  前記少なくとも１つのプロセッサは更に、前記基地局が前記無線ネットワークから、前記基地局が少なくとも１つのエンドポイントと通信する必要があることを指し示すメッセージを受信したことに応答して、前記基地局に前記低電力モードから前記アクティブモードに移行させるよう動作する、付記１６に記載のシステム。
【００８２】
（付記１９）  前記少なくとも１つのプロセッサは更に、前記無線ネットワークがネットワーク負荷情報を更新し得るように、前記基地局に、前記アクティブモードから前記低電力モードへの移行を前記無線ネットワークに通知すること、を行わせるよう動作する、付記１６に記載のシステム。
【００８３】
（付記２０）  前記無線機は更に、前記アクティブモードから前記低電力モードへの前記基地局の移行を少なくとも１つのエンドポイントに通知し、それにより、該エンドポイントが該通知に応答して前記第１の所定期間を決定し得るようにするよう動作する、付記１６に記載のシステム。
【００８４】
（付記２１）  前記無線ネットワークはＷｉＭＡＸネットワークを有する、付記１６に記載のシステム。
【００８５】
（付記２２）  無線機と少なくとも１つのプロセッサとを有し、
前記無線機は、
複数のエンドポイントに無線ネットワークへのアクセスを提供し、
基地局が低電力モードにある間、前記複数のエンドポイントに前記無線ネットワークへのアクセスを提供することを中止し、且つ
少なくとも１つのエンドポイントから少なくとも１つのレンジングコードを受信する
よう動作し、且つ
前記少なくとも１つのプロセッサは、
少なくとも、受信レンジングコードのうちの少なくとも１つが、一組の所定のレンジングコードのうちの少なくとも１つのレンジングコードに一致することを決定し、
少なくとも１つの受信レンジングコードが少なくとも１つの所定のレンジングコードと一致すると決定したことに応答して、前記基地局に前記低電力モードから抜け出させる
よう動作する、
無線通信システム。
（付記２３）  少なくとも１つの受信レンジングコードが少なくとも１つの所定のレンジングコードと一致することを決定することは更に、
（ａ）第１の受信レンジングコードが第１の所定のレンジングコードと一致することを決定する段階と、
（ｂ）前記（ａ）の段階における決定に応答して、前記低電力モードを抜け出るのに先立って、前記基地局における受信信号の増幅率を増大させる段階と、
（ｃ）第２の受信レンジングコードが第２の所定のレンジングコードと一致することを決定する段階であり、前記第２の受信レンジングコードは、前記基地局における受信信号の増幅率を増大させた後に前記基地局にて受信される、段階と、
を有し、且つ
前記基地局に前記低電力モードから抜け出させることは更に、前記（ｃ）の段階における決定に応答して、前記基地局に前記低電力モードから抜け出させることを有する、
付記２２に記載のシステム。
【００８６】
（付記２４）  少なくとも１つの受信レンジングコードが少なくとも１つの所定のレンジングコードと一致することを決定することは更に、（ｄ）前記第１の受信レンジングコードに関する時間遅延が前記第２の受信レンジングコードに関する時間遅延と略等しいことを決定する段階を有し、且つ
前記基地局に前記低電力モードから抜け出させることは更に、前記（ｃ）及び（ｄ）の段階における決定に応答して、前記基地局に前記低電力モードから抜け出させることを有する、
付記２３に記載のシステム。
【００８７】
（付記２５）  インタフェースを更に有し、
前記無線ネットワークは無線サービスプロバイダのネットワークを有し、
前記インタフェースは、
前記基地局を、インターネットサービスプロバイダのネットワークを介して前記基地局に前記無線ネットワークへのアクセスを提供するネットワークアクセス装置に結合し、且つ
前記無線機を、前記複数のエンドポイントに前記無線ネットワークへのアクセスを提供することが前記インターネットサービスプロバイダのネットワークを使用するように結合する
よう動作する、
付記２２に記載のシステム。
【００８８】
（付記２６）  前記少なくとも１つのプロセッサは更に、前記基地局が前記無線ネットワークから、前記基地局が少なくとも１つのエンドポイントと通信する必要があることを指し示すメッセージを受信したことに応答して、前記基地局に前記低電力モードから前記アクティブモードに移行させるよう動作する、付記２２に記載のシステム。
【００８９】
（付記２７）  前記少なくとも１つのプロセッサは更に、前記無線ネットワークがネットワーク負荷情報を更新し得るように、前記基地局に、前記アクティブモードから前記低電力モードへの移行を前記無線ネットワークに通知すること、を行わせるよう動作する、付記２２に記載のシステム。
【００９０】
（付記２８）  前記無線ネットワークはＷｉＭＡＸネットワークを有する、付記２２に記載のシステム。
【００９１】
（付記２９）  前記無線機は更に、前記基地局から少なくとも１つのエンドポイントに、前記アクティブモードから前記低電力モードへの移行を指し示す通知を送信するよう動作し、該通知は少なくとも１つの所定のレンジングコードを決定するために使用される暗号パラメータを含む、付記２２に記載のシステム。
【００９２】
（付記３０）  少なくとも１つの受信レンジングコードが少なくとも１つの所定のレンジングコードと一致することを決定することは更に、前記少なくとも１つの受信レンジングコードのレンジングスロットが、前記少なくとも１つの所定のレンジングコードのレンジングスロットと一致することを決定することを有する、付記２２に記載のシステム。
【符号の説明】
【００９３】
１００、２００    通信システム
１１０、２０５    ネットワーク
１２０    マクロ基地局
１４０、２７０    エンドポイント
１５０、２９０    無線接続
１６０    有線リンク
１７０    ノード
１８０、２５１    ネットワークアクセス装置
１９０、２５０    フェムト基地局
２２４、２３２    サーバ
２２６、２３４    ゲートウェイ
２５２、２７２    無線機
２５４、２７４    ＰＨＹ／ＨＷブロック
２５７、２７７    ＭＡＣ／ＳＷブロック
２８０    アナログ−デジタル変換器
２８２    高速フーリエ変換
２８４−２９４    相関器
２９６    比較器
【図１】
2010109985.tif 000006
【図２】
2010109985.tif 000007
【図２Ａ】
2010109985.tif 000008
【図３】
2010109985.tif 000009
【図４】
2010109985.tif 000010